(57)【要約】【課題】傾き押しされた場合にも確実に導通オンすることを可能とし、違和感のない操作感を得る。【解決手段】所定の間隔を有する一対の接点パターンが形成されたプリント配線板と、接点パターンと対向して接点電極が形成された操作キーとを備え、操作キーの押圧操作により接点電極が接点パターンと接触し、一対の接点パターン間の導通が図られるスイッチ装置である。接点電極の形状に合わせて接点パターンが形成されている。例えば、接点電極の形状を円環状とした場合には、接点パターンも円環状とする。【選択図】　図２
2004119335.tif 000002
【特許請求の範囲】
【請求項１】
所定の間隔を有する一対の接点パターンが形成されたプリント配線板と、上記接点パターンと対向して接点電極が形成された操作キーとを備え、上記操作キーの押圧操作により上記接点電極が上記接点パターンと接触し、一対の接点パターン間の導通が図られるスイッチ装置において、
上記接点電極の形状に合わせて上記接点パターンが形成されていることを特徴とするスイッチ装置。
【請求項２】
上記接点電極が円形であり、上記接点パターンも円形に形成されていることを特徴とする請求項１記載のスイッチ装置。
【請求項３】
上記各接点パターンは櫛歯状のパターンを有し、これらが所定の間隔をもって噛合するように形成されていることを特徴とする請求項１記載のスイッチ装置。
【発明の詳細な説明】
【０００１】
【発明の属する技術分野】
本発明は、スイッチ装置に関するものであり、特に、大型の操作キーを備えたスイッチ装置における接点形状の改良に関するものである。
【０００２】
【従来の技術】
各種リモコン等において、入力のための操作キーとして、いわゆるラバーキーが用いられている。ラバーキーは操作感に優れ、用途に応じて様々な大きさ、デザインのものが用いられている。
【０００３】
上記ラバーキーを入力キーとするスイッチ装置においては、接点を有するラバーキーを指で押圧したときに、前記接点がプリント配線板上に形成された一対の接点パターと接触し、これら接点パターン間の電気的導通を図ることでオン状態とされ、指を離して押圧を解除すると、前記接点が接点パターンから離れ、前記導通が遮断されてオフ状態とされる。
【０００４】
【特許文献１】
実開昭６４−３４７２１号公報
【０００５】
【特許文献２】
特開２００１−２１０１７９号公報
【０００６】
【発明が解決しようとする課題】
ところで、上記ラバーキーに形成される接点と、上記プリント配線板上に形成される接点パターンの形状としては、例えば図３に示すようなものが知られている。この例では、ラバーキーの接点部に形成される接点１０１は、円環状のパターンとして形成されている。一方、プリント配線板上に形成される一対の接点パターン１０２、１０３は、それぞれ正方形の各辺に対応して上下左右方向に櫛歯状パターン１０２ａ、１０３ａを有し、これらが互いに所定の間隔で噛合する如く形成されている。したがって、上記接点パターン１０２、１０３の全体の形状は概ね正方形である。
【０００７】
上記のスイッチ装置では、ラバーキーを押圧操作することで円環状の接点１０１がプリント配線板上の接点パターン１０２、１０３と接触し、上記櫛歯状パターン１０２ａ、１０３ａ間の電気的導通を取ることでオンされる。このとき、ラバースイッチの大きさが大きいと、ラバーキーが傾いた状態で押し込まれる傾き押し状態となり易く、導通不良が発生するという不都合が生ずる。上記形状の接点１０１及び接点パターン１０２、１０３の場合、上下左右斜め４５°方向に傾き押されたときに、図中丸印で示す部分において導通不良が発生する。
【０００８】
本発明は、このような従来のものの有する欠点を解消するために提案されたものであり、傾き押しされた場合にも確実に導通オンすることが可能であり、違和感のない操作感が得られるスイッチ装置を提供することを目的とする。
【０００９】
【課題を解決するための手段】
上述の目的を達成するために、本発明のスイッチ装置は、所定の間隔を有する一対の接点パターンが形成されたプリント配線板と、上記接点パターンと対向して接点電極が形成された操作キーとを備え、上記操作キーの押圧操作により上記接点電極が上記接点パターンと接触し、一対の接点パターン間の導通が図られるスイッチ装置において、上記接点電極の形状に合わせて上記接点パターンが形成されていることを特徴とする。例えば、接点電極の形状を円環状とした場合には、接点パターンも円環状とする。
【００１０】
これにより、傾き押し時の導通不良が解消され、操作キーが押された際には常に良好なオン状態を得ることができる。
【００１１】
【発明の実施の形態】
以下、本発明を適用したリモコンキー入力用のスイッチ装置について、図面を参照しながら説明する。
【００１２】
操作キーであるラバーキー１は、図１に示すように弾性支持部２を介してプリント配線板３に装着されている。ラバーキー１の底面には、他の部分よりも若干突出した接点部１ａが形成されており、この接点部１ａ表面に接点電極が形成されている。そして、ラバーキー１を指で押したときには、上記弾性支持部２の弾発力に抗してラバーキー１が押し込まれ、上記接点部１ａがプリント配線板３に当接する。指を離すと、上記弾性支持部２の弾発力によってラバーキー１は元の状態に戻る。
【００１３】
図２は、上記ラバーキー１の接点部１ａ上に形成される接点電極１１と、プリント配線板３の表面に形成される接点パターン１２、１３の形状を示すものである。
【００１４】
ラバーキー１の接点部１ａに形成される接点１１は、先の従来例と同様、円環状のパターンである。一方、プリント配線板３の表面に形成される接点パターン１２、１３も、それぞれ円環状のパターンとして形成されている。このうち、接点パターン１２、１３においては、垂直方向及び水平方向の中心線によって４分割された領域において、交互に逆のパターンとされている。
【００１５】
具体的には、左斜め上と右斜め下の領域では、片側の接点パターン１２は、円環状の配線パターン１２ａから内方に向かって放射状に櫛歯パターン１２ｂが形成されている。もう片側の接点パターン１３は、円環状の配線パターン１３ａから外方に向かって放射状に櫛歯パターン１３ｂが形成されている。左斜め下と右斜め上の領域では、片側の接点パターン１２は、円環状の配線パターン１２ｃから外方に向かって放射状に櫛歯パターン１２ｄが形成されている。片側の接点パターン１３は、円環状の配線パターン１３ｃから内方に向かって放射状に櫛歯パターン１３ｄが形成されている。そして、いすれにおいても、これら櫛歯パターン１２ｂ、１３ｂ同士、あるいは櫛歯パターン１２ｄ、１３ｄ同士が互いに噛合する如く所定の間隔をもって配列されている。
【００１６】
上記のスイッチ装置では、ラバーキー１を押圧操作することで円環状の接点１１がプリント配線板上の接点パターン１２、１３と接触し、上記櫛歯状パターン１２ｂ、１３ｂ間の電気的導通を取ることでオンされる。このとき、本例のスイッチ装置では、プリント配線板３上の接点パターン１２、１３の形状をラバーキー１側の接点電極１１の形状に合わせて円環状に設定しているので、３６０°同じ押圧で確実にスイッチオンすることができる。例えば、図１（ｂ）に示すように傾き押し状態となったときにも、接点不良が起こるデッドスペースが存在しないため、どのような傾き状態であろうとも確実にスイッチオンされる。
【００１７】
なお、上記実施の形態においては、接点電極１１及び接点パターン１２、１３の形状を円環状としたが、これに限られるものではなく、接点電極１１の形状に合わせて接点パターン１２、１３の形状も設計すればよい。例えば、楕円や多角形等、任意である。
【００１８】
【発明の効果】
以上の説明からも明らかなように、本発明のスイッチ装置によれば、傾き押しされた場合にも確実に導通オンすることが可能であり、違和感のない操作感を得ることが可能である。
【図面の簡単な説明】
【図１】ラバーキーの取り付け状態を示す側面図であり、（ａ）は非押圧時、（ｂ）は傾き押し状態を示す。
【図２】接点電極及び接点パターンの形状例を示す平面図である。
【図３】接点及び接点パターンの従来の形状例を示す平面図である。
【符号の説明】
１　　　　　　　ラバーキー
２　　　　　　　弾性支持部
３　　　　　　　プリント配線板
１１　　　　　　接点電極
１２、１３　　　接点パターン
１２ｂ、１２ｄ　櫛歯パターン
１３ｂ、１３ｄ　櫛歯パターン
【図１】
2004119335.tif 000003
【図２】
2004119335.tif 000004
【図３】
2004119335.tif 000005